(57)【要約】【課題】  従来の刻印機にあっては、刻印しようとする文字情報が小さな表示面で表示されるが、被加工物の刻印面積の何れの部分に刻印されるかは試し打ちを行い、この試し打ちを行った被加工物を見て希望する刻印位置となるように被加工物を刻印機に対して位置決めして行う、あるいは文字等の大きさや位置情報を修正するといった面倒な作業が必要であった。【解決手段】  被加工物２の刻印面積と略同じ刻印面積で打刻可能な刻印機１を選択し、キーボード６等の入力手段から入力した刻印すべき文字や符号等の表示情報を表示するためのディスプレイ４ａ上の方眼グラフの大きさを前記選択された刻印面積となし、また、前記表示情報の少なくも大きさや刻印開始位置の修正を可能とし、前記方眼グラフで修正した表示情報を刻印機で打刻することで被加工物の刻印面積内で刻印が行われることを特徴とする刻印機の制御装置である。【選択図】        図１
2012061640.tif 000002
【特許請求の範囲】
【請求項１】
被加工物の刻印面積と略同じ刻印面積で打刻可能な刻印機を選択し、キーボード等の入力手段から入力した刻印すべき文字や符号等の表示情報を表示するためのディスプレイ上の方眼グラフの大きさを前記選択された刻印面積となし、また、前記表示情報の少なくも大きさや刻印開始位置の修正を可能とし、前記方眼グラフで修正した表示情報を刻印機で打刻することで被加工物の刻印面積内で刻印が行われることを特徴とする刻印機の制御装置。
【請求項２】
前記キーボードを使用して表示情報を入力して刻印可能な編集画面が、Ｘ軸方向と平行な横書き表示情報のみのらくらく編集画面と、前記横書き表示情報と縦書き、斜め書き、円弧書き等の編集表示情報や２次元バーコードの表示情報を編集可能なスタンダード編集画面の選択を可能とし、前記２つの編集画面で作成した表示情報によって刻印機を制御して被加工物への打刻が行えるようにしたことを特徴とする請求項１記載の刻印機の制御装置。
【請求項３】
前記らくらく編集画面、スタンダード編集画面に、手書き描画パッドによって専用ペンあるいは指先でタッチして入力した文字や符号および画像を編集するための手書き編集画面を追加して、前記３つの編集画面で作成した表示情報によって刻印機を制御して被加工物への打刻が行えるようにしたことを特徴とする請求項２記載の刻印機の制御装置。
【請求項４】
前記らくらく編集画面およびスタンダード編集画面に表示されているＰＣ（パソコン），ＭＢ（刻印機）のＭ０を選択し、かつ、メニューアイコンバーのｓｔａｒｔ（刻印開始）を操作すると、前記ＰＣのメモリに記憶されている表示情報は刻印機内のコンピュータのメモリに記憶され、表示情報を作成するためのコンピュータを切り離すことができて刻印機単独で被加工物の刻印が可能としたことを特徴とする請求項２または３記載の刻印機の制御装置。
【発明の詳細な説明】
【技術分野】
【０００１】
本発明は、ソレノイドや空圧シリンダによって刻印歯を被加工物に対して上下方向および左右方向に移動させて刻印する刻印機に対して、各種の入力手段からの文字等の表示情報をコンピュータのディスプレイを見ながら作成し、予め設定されている前記被加工物の刻印範囲内に刻印することが可能な刻印機の制御装置に関する。
【背景技術】
【０００２】
従来における刻印機を制御して被加工物に刻印するものとしては、例えば、http ：//www.telesis.com/pdf/30353.pdf のホームページに記載された制御装置がある。
【０００３】
この制御装置は、筐体の表面にアルファベット用のキーボードが配置されると共に、該キーボードによって文字等を入力することで内蔵されている記憶装置に記憶されている単語やマークが前記キーボードの上方に設けられた５×７ドットのＬＣＤ画面である表示面に表示されるようになっている。そして、制御装置にて選択された単語等の文字情報を刻印機の刻印歯を上下および左右方向に制御して刻印するものであった。
【先行技術文献】
【非特許文献】
【０００４】
【非特許文献１】http：//www.telesis.com/pdf/30353.pdf のホームページ
【発明の概要】
【発明が解決しようとする課題】
【０００５】
ところで、前記した従来の制御装置にあっては、刻印しようとする文字情報が小さな表示面で表示されるが、被加工物の刻印面積の何れの部分に刻印されるかは試し打ちを行い、この試し打ちを行った被加工物を見て希望する刻印位置となるように被加工物を刻印機に対して位置決めして行う、あるいは文字等の大きさや位置情報を修正するといった面倒な作業が必要であった。
【０００６】
本発明は前記した問題点を解決せんとするもので、その目的とするところは、刻印機で刻印可能となる予め製造者が作成した文字や符号をメモリに記憶しておいてコンピュータのキーボートを操作し、あるいは手入力描画パッドを使用して描いた文字等の表示情報をコンピュータのディスプレイを見ながら作成し、予め設定されている前記被加工物の刻印範囲内に刻印可能とした刻印機の制御装置を提供せんとするにある。
【課題を解決するための手段】
【０００７】
本発明の刻印機の制御装置は前記した目的を達成せんとするもので、請求項１の手段は、被加工物の刻印面積と略同じ刻印面積で打刻可能な刻印機を選択し、キーボード等の入力手段から入力した刻印すべき文字や符号等の表示情報を表示するためのディスプレイ上の方眼グラフの大きさを前記選択された刻印面積となし、また、前記表示情報の少なくも大きさや刻印開始位置の修正を可能とし、前記方眼グラフで修正した表示情報を刻印機で打刻することで被加工物の刻印面積内で刻印が行われることを特徴とする。
【０００８】
請求項２の手段は、前記した請求項１において、前記キーボードを使用して表示情報を入力して刻印可能な編集画面が、Ｘ軸方向と平行な横書き表示情報のみのらくらく編集画面と、前記横書き表示情報と縦書き、斜め書き、円弧書き等の編集表示情報や２次元バーコードの表示情報を編集可能なスタンダード編集画面の選択を可能とし、前記２つの編集画面で作成した表示情報によって刻印機を制御して被加工物への打刻が行えるようにしたことを特徴とする。
【０００９】
請求項３の手段は、前記した請求項２において、前記らくらく編集画面、スタンダード編集画面に、手書き描画パッドによって専用ペンあるいは指先でタッチして入力した文字や符号および画像を編集するための手書き編集画面を追加して、前記３つの編集画面で作成した表示情報によって刻印機を制御して被加工物への打刻が行えるようにしたことを特徴とする。
【００１０】
請求項４の手段は、前記した請求項２または３において、前記らくらく編集画面およびスタンダード編集画面に表示されているＰＣ（パソコン），ＭＢ（刻印機）のＭ０を選択し、かつ、メニューアイコンバーのｓｔａｒｔ（刻印開始）を操作すると、前記ＰＣのメモリに記憶されている表示情報は刻印機内のコンピュータのメモリに記憶され、表示情報を作成するためのコンピュータを切り離すことができて刻印機単独で被加工物の刻印が可能としたことを特徴とする。
【発明の効果】
【００１１】
本発明は前記したように、修正した表示情報を刻印機で打刻することで被加工物の刻印面積内で刻印が行われるようにしたので、表示情報の入力画面の大きさが被加工物の刻印エリアの大きさと一致して、入力画面の表示情報がそのまま被加工物に刻印されることで、試し刻印を行うことなく入力画面を見ることで刻印が行われた結果のイメージが得られるものである。
【００１２】
また、キーボードを使用して表示情報を入力して刻印可能な編集画面を初心者でも簡単に操作が可能ならくらく編集画面と、文字や記号を多彩な表示形式で表示したり、２次元バーコードを編集して専門的な表示が行えるようにしたスタンダード編集画面の選択を可能としたことにより、刻印機の使用用途が大幅に広くなって多様な分野での使用が可能となった。
【００１３】
さらに、前記らくらく編集とスタンダード編集に加え、手書き描画パッドによって入力した文字や符号および画像を編集するための手書き編集画面を追加して、前記３つの編集画面で作成した表示情報によって刻印機を制御して被加工物への打刻が行えるようにしたので、より多様な分野での使用が可能となった。
【００１４】
また、表示情報を作成するコンピュータのメモリに記憶されている表示情報を刻印機内のコンピュータのメモリに移転記憶可能としたことで、表示情報を作成するコンピュータから独立して刻印機を遠隔位置に移動して被加工物に刻印作業を行うことができる等の効果を有するものである。
【図面の簡単な説明】
【００１５】
【図１】本発明の刻印機の制御装置を示す構成図である。
【図２】制御装置の回路ブロック図である。
【図３】制御装置によって表示情報である「らくらく編集」「スタンダード編集」「手書き編集」の何れかを選択するまでの動作を示すフローチャートである。
【図４】らくらく編集を選択して表示情報の作成から被加工物への刻印までを示すフローチャートである。
【図５】スタンダード編集を選択して表示情報の作成から被加工物への刻印までを示すフローチャートである。
【図６】手書き編集を選択して表示情報の作成から被加工物への刻印までを示すフローチャートである。
【図７】機種選択画面である。
【図８】簡易操作によって１行の表示情報を刻印するためのらくらく編集画面である。
【図９】標準操作によって文字や記号と２次元バーコードの表示情報を刻印するためのスタンダード編集画面である。
【図１０】手書き操作によって表示情報を刻印するための手書き編集画面である。
【発明を実施するための形態】
【００１６】
以下、本発明に係る刻印機の制御装置の実施例を図面と共に説明する。
図１において、１は刻印機にして、ソレノイドや空圧シリンダ１ａによって刻印歯１ｂがＺ軸方向に変位しながら上下動あるいは引っ掻き動作によって被加工物２に文字等の表示情報を刻印し、また、前記ソレノイドや空圧シリンダ１ａは図示しないＸ−Ｙ軸方向に変位するＸ−Ｙ軸テーブルによってＸ−Ｙ軸方向に移動して表示情報を刻印するものである。また、本体１ｃ内には後述するコンピュータ４によって作成した表示情報を記憶すると共に、該記憶された表示情報に基づいて刻印機１を制御するためのコンピュータが内蔵されている。
【００１７】
３はコンピュータ４よりの表示情報が入力されると刻印機１に対して機械的な信号に変換して出力して刻印動作を行わせる刻印機駆動回路、４は汎用コンピュータにして、図２に示すようにＣＰＵである中央制御回路４ａと、ＲＯＭ４ｂには製造者が作成した文字や記号等の表示情報が記憶され、また、前記刻印機１の大きさによって被加工物２に刻印可能な面積を予め記憶され、さらに、後述する手書き描画パッド７にペン７ａによって描画した移動軌跡を後述するディスプレイ４ｄに表示させるソフトや、図３に示すフローチャートの動作を制御するプログラムが記憶されている。また、４ｃはコンピュータの動作のためのＲＡＭである。
【００１８】
なお、図１にあっては、刻印機駆動回路３と刻印機１とは有線で接続されているが、刻印機駆動回路３より無線で刻印機１を制御するようにすれば、遠隔位置でコンピュータ４で表示情報を作成し刻印機駆動回路３にデータを送ることで、刻印機１による刻印作業を離れた位置で行うことが可能となる。
【００１９】
前記コンピュータ４の入力側には、キーボード５、マウス６および手書き描画パッド７が接続されている。また、出力側にはディスプレイ８や前記した刻印機駆動回路３が接続されている。なお、７ａは手書き描画パッド７に文字等を書き込むための専用ペンである。なお、表示部にタッチ操作機能を持つスクリーンを接続して、直接指先でデータを入力することも可能である。
【００２０】
次に、動作の説明を図３〜図７のフローチャートと共に説明する。
図３はコンピュータ４を起動して１行分の文字や記号等を入力し、かつ、１行分の文字や符号のみの表示情報をＸ軸上に刻印を可能とした簡単操作で行える「らくらく編集」、１行以上の文字や符号の表示情報をＹ軸上に削除刻印したり斜め方向あるいは円弧状に表示して刻印し、あるいは、２次元バーコードを刻印するための「スタンダード編集」、手書き描画ボードを使用して手書きした文字や絵等を刻印するための「手書き編集」を選択するまでのフローチャートである。
【００２１】
先ず、パソコンの電源を入れて起動すると（ステップＳ１）、図７に示す刻印機１の機種選択画面が表示される（ステップＳ２）。これは、刻印機１によって刻印エリアが異なるので、ディスプレイに表示される表示情報を入力画面の大きさを変える必要を無くすためである。
【００２２】
すなわち、本発明にあっては、刻印情報の表示画面の大きさが刻印可能エリアに一致するように表示させ、入力画面の表示位置、大きさ、形状等の情報がそのまま被加工物に刻印されることで、試し刻印を行うことなく入力画面を見ることで刻印が行われた結果のイメージが得られるようにした。
【００２３】
次いで、刻印機選択画面から使用する刻印機を選択したか否かの判断が中央制御回路４ａにて行われ（ステップＳ３）、選択が行われたと判断すると「らくらく編集」「スタンダード編集」「手書き編集」の画面が表示される（ステップＳ４）。そして、中央制御回路４ａにおいて「らくらく編集」「スタンダード編集」「手書き編集」の何れが選択されたかを監視する（ステップＳ５〜７）。
【００２４】
ここで、「らくらく編集」が選択されたと判断すると図４のフローチャートに進み、ディスプレイ上にらくらく編集画面（図８参照）が表示される（ステップＳ５０１）。ここで、操作者はテキストの欄をクリックしてキーボード６から文字や記号を入力すると（ステップＳ５０２）、ミリ単位の目盛りが施された刻印エリア方眼グラフ（以下、単に方眼グラフという）に表示される（ステップＳ５０３）。
【００２５】
そして、前記方眼グラフに表示された表示情報を文字設定画面における専用スライドバーを操作して文字の大きさを調整する（ステップＳ５０４）。次いで、被加工物に打刻を開始する位置（上下、左右方向）を矢印ボタンを操作して調整する（ステップＳ５０５）。さらに、必要ならば打刻強さ（刻印の深さ）と、打刻の速さを選択ボタンで選択する（ステップＳ５０６）。
【００２６】
前記文字の大きさの変更や刻印エリアの状態イメージは方眼グラフにリアルタイムで表示され、かつ、方眼グラフに目盛りが刻まれているので、実際に刻印されるレイアウトイメージを直感的に認識できる
【００２７】
上記した文字設定画面での設定が終了し、方眼グラフの表示を見て打刻の状態をイメージして良いと確認したら、メニューアイコンバーのｓｔａｒｔアイコンをクリックすることで（ステップＳ５０７）、表示情報はコンピュータ４から刻印機駆動回路３に送出され刻印機１のソレノイドや空圧シリンダ１ａを制御して刻印歯１ｂを駆動して方眼グラフに表示された状態で被加工物２の打刻開始位置から刻印が開始されることとなる（ステップＳ５０８）。従って、方眼グラフで見た通りに刻印が行われることとなる。
【００２８】
次に、前記したステップＳ４の編集選択画面においてスタンダード編集（ステップＳ６）が選択された場合の動作について図５のフローチャートと共に説明する。
スタンダード編集が選択されるとディスプレイ４ａには図９に示すスタンダード編集画面が表示される。
【００２９】
このスタンダード編集画面には、文字や符号のみを刻印するためのテキストフィールド１〜ｎ個の画面（図面では１〜４個が表示されている）と、２次元バーコードを刻印するための２次元バーコードフィールド画面が表示されている。
【００３０】
ここで、テキストフィールドを利用して表示情報を作成てる場合には、画面上のテキストフィールドの１〜ｎの何れかのテキスト欄をチェック（例えば、テキストフィールド１を選択）して希望する文字や記号を入力し（ステップＳ６０２）、この入力した文字等で良いと判断して当該テキストフィールド１のアイコンをクリックすると、画面上の方眼グラフに表示される（ステップＳ６０３）。
【００３１】
次いで、形式メニューから希望する表示形式を選択する（ステップＳ６０４）。この形式メニューにはテキストフィールド１の欄における図面の「１ねん３くみ」である縦書きＸ軸方向（その他として縦書きＹ軸方向等がある。）、テキストフィールド２，３の欄における図面の「ｔｏｋｙｏ  ｃｈｏｋｏｋｕ  ｍａｒｋｉｎｇ」や「コクインシテミル？？？」である固定文字、およびテキストフィールド４の欄における図面の下側に湾曲した「２０１０．０８．１５」である内円弧（その他として上円弧）等を選択することが可能である。
【００３２】
次に、文字等の高さ（２．５）、幅（７０）、間隔（２．５）、刻印開始位置（左端から４．５）、（上端から１０．０）を操作する（ステップＳ６０５）。また、必要に応じてメニューから刻印速度（３）、刻印強さ（５）を操作する（ステップＳ６０６）。
【００３３】
以上の操作が終了したなら、メニューアイコンバーからｓｔａｒｔアイコンをクリックすることで（ステップＳ６０７）、表示情報はコンピュータ４から刻印機駆動回路３は送出され刻印機１のソレノイドや空圧シリンダ１ａを制御して刻印歯１ｂを駆動して方眼グラフに表示された状態で被加工物２の打刻開始位置から刻印が開始されることとなる（ステップＳ６１０）。従って、方眼グラフで見た削除イメージ通りに刻印が行われることとなる。
【００３４】
また、テキストフィールドを使用しての表示情報の作成と、２次元バーコードフィールドを使用しての２次元バーコードを作成した場合や、２次元バーコードのみを作成した場合には、２次元バーコード作成画面上のテキストフィールドのテキスト欄に希望する文字や記号を入力する（ステップＳ６０９）。次いで、データマトリックスの欄のプルダウンメニューからデータマトリックスかＱＲコードの何れかを選択する（ステップＳ６１０）。
【００３５】
さらに、データマトリックスやＱＲコードの正方形の一辺の長さ（図面における５．０）と傾斜角度（図面における０．０）を選択する（ステップＳ６１１）。次いで、２次元バーコードのタイトルボタンをクリックすると方眼グラフに表示される（ステップＳ６１２）。以降の操作は前記したステップＳ６０６に移行して前記した操作を行うことで、文字や符号の刻印と２次元バーコードとを刻印することができる。
【００３６】
なお、当然にテキストフィールドのみを選択すれば文字や符号のみを少なくとも１つを刻印でき、また、２次元バーコードのみを選択すればデータマトリックスかＱＲコードを刻印することが可能となる。
【００３７】
前記した実施例にあっては、コンピュータで作成した表示情報を刻印機駆動回路３に有線または無線で送信し、刻印機駆動回路３を介して刻印機１を動作させて被加工物２に刻印を行うものであるが、メニューアイコンバーにあるＰＣのチェックを外してＭＢ（刻印機）にチェックすると、メニューアイコンバーにあるｓｔａｒｔの表示がｓｅｎｄ（送る）に変更されて、作成した表示情報が刻印機１に内蔵されたコンピュータに転送され記憶される。従って、コンピュータ４とは独立して刻印機１を切り離して遠隔位置に移動して被加工物に刻印作業を行うことが可能となる。
【００３８】
次に、前記したステップＳ４の編集選択画面において手書き編集（ステップＳ７）が選択された場合の動作について図５のフローチャートと共に説明する。
手書き編集が選択されるとディスプレイ４ａには図１０に示す手書き編集画面が表示される（ステップＳ７０１）。
【００３９】
コンピュータ４に接続されている付属の手書き描画ボード７に専用ペン７ａによって文字や画像等を書く。この操作において修正の必要が生じた場合には画面の下部に有る部分修正を操作して不要な部分を修正する（ステップＳ７０２）。これらの文字や画像等の作成状態は常に方眼グラフ上に表示されている。
【００４０】
次いで、図形移動のアイコンを操作して全体の描画を左端と上端からの位置を調整して刻印開始位置を設定する（ステップＳ７０３）。そして、手書き画像の作成が完了したなら、マーキングデータ取り込みのアイコンをクリックするとコンピュータ４において刻印可能なデータに変換されてファイル名で記載された状態でメモリに記憶される（ステップＳ７０４）。
【００４１】
次に、前記した操作と同じように刻印速度と刻印強さを操作して必要な数値を設定する（ステップＳ７０５）。この操作が終了した後に、メニューアイコンバーのｓｔａｒｔアイコンをクリックすると（ステップＳ７０６）、  表示情報はコンピュータ４から刻印機駆動回路３は送出され刻印機１のソレノイドや空圧シリンダ１ａを制御して刻印歯１ｂを駆動して方眼グラフに表示された状態で被加工物２の打刻開始位置から刻印が開始されることとなる（ステップＳ７０７）。
【００４２】
なお、この実施例において、作成した表示情報（刻印開始位置や刻印速度、刻印強さを含む）を刻印機１のコンピュータに記憶させるには、メニューアイコンバーのｓａｖｅをクリックして適宜ファイル名を入力してコンピュータ４に記憶させる。読み出す場合は、手書き編集画面で設定したファイル名をファイル欄に打ち込むことで再表示できるので、修正その他操作を行ない打刻できる。
【符号の説明】
【００４３】
１          刻印機
１ａ        ソレノイドや空圧シリンダ
１ｂ        刻印歯
２          被加工物
３          刻印機駆動回路
４          コンピュータ
４ａ        ディスプレイ
５          マウス
６          キーボード
７          手書き描写ボード
７ａ        専用ピン
【図１】
2012061640.tif 000003
【図２】
2012061640.tif 000004
【図３】
2012061640.tif 000005
【図４】
2012061640.tif 000006
【図５】
2012061640.tif 000007
【図６】
2012061640.tif 000008
【図７】
2012061640.tif 000009
【図８】
2012061640.tif 000010
【図９】
2012061640.tif 000011
【図１０】
2012061640.tif 000012